(57)【特許請求の範囲】
【請求項１】
扉枠から間口に向かって突設される突起に係合して扉の開放を一定角度内に規制するドアガードであって、
前記扉の自由端側の屋内面に設けられるケースと、
該ケースに対し前記扉の回動軸と平行な方向に一端が軸支され、その一端を軸廻りに他端側が揺動自在とされ、前記一端側に前記突起が挿通される挿通孔が形成され、該挿通孔に連通して前記挿通孔から前記他端側へ前記突起を案内し前記突起が抜脱不能な案内孔が形成されているガードアームと、
前記ケース表面に回動自在に軸支されるサムターンと、
前記ケース内に設けられ、前記サムターンと連動連結され、前記サムターンの回動により前記ケースから前記扉枠側へ進退して前記扉を施解錠するデッドボルトと、
前記ケース内において前記ガードアームと前記デッドボルトとに連結されて設けられ、前記ガードアームの揺動を前記デッドボルトの進退方向の移動に変換する変換手段と、
を備え、
前記ガードアームが揺動して前記扉の屋内面側から離間すると、前記突起が前記挿通孔に挿通されるとともに、前記ガードアームの揺動に連動して、前記変換手段を介して前記デッドボルトが前記ケース内から進出し、かつ、前記サムターンが一方の方向に回動し、前記ガードアームによるガードロックと前記デッドボルトによる施錠とを同時に行うダブルロック状態とし、
前記ガードアームが揺動して前記扉の屋内面側へ近接すると、前記突起が前記挿通孔から抜脱されるとともに、前記ガードアームの揺動に連動して、前記変換手段を介して前記進出したデッドボルトが前記ケース内へ後退し、かつ、前記一方の方向に回動したサムターンが他方の方向に回動し、前記ガードアームが前記扉の屋内面に近接した状態で、前記サムターンが前記案内孔に挿通状態となって、解錠状態となり、
前記ガードアームが揺動して前記扉の屋内面側から離間しデッドボルトが進出した前記ダブルロック状態において、前記サムターンを一方の方向から他方の方向に回動させることで、前記デッドボルトを前記ケース内に後退させ、前記突起に前記案内孔が抜脱不能となって、前記扉を一定角度開放可能とするガードロック状態とすることを特徴とするドアガード。
【請求項２】
前記扉内において前記変換手段に連結され、外筒と該外筒と同軸に挿通される内筒とを有し、該内筒に合鍵が挿通されると前記外筒に対し前記内筒が回動するシリンダ錠を備え、
前記変換手段は、更に、前記内筒の回動を前記デッドボルトの進退方向の移動と前記ガードアームの揺動に変換するものであり、
前記内筒が前記一方の方向に回動すると、前記デッドボルトが前記ケースから進出するとともに、前記ガードアームの揺動により前記扉の屋内面側から離間して前記挿通孔に前記突起が挿通され、
前記内筒が前記他方の方向に回動すると、前記デッドボルトが前記ケースへ後退するとともに、前記ガードアームの揺動により前記扉の屋内面側へ近接して前記挿通孔から前記突起が抜脱されることを特徴とする請求項１記載のドアガード。
【請求項３】
請求項１又は２記載のドアガードと、
該ドアガードに対向して前記扉枠に設けられ、前記突起と、前記デッドボルトが貫通する貫通孔が形成されているストライク板と、を有するドアガード受具と、
を具備することを特徴とするドアガード装置。
【発明の詳細な説明】
【０００１】
【発明の属する技術分野】
本発明は、扉枠から間口に向かって突設される突起に係合して扉の開放を一定角度内に規制するドアガード及びドアガード装置に関するものである。
【０００２】
【従来の技術】
一般に、ドアガードは、建物に設置されている扉の自由端の屋内面の側縁に備えられ、垂直軸廻りに揺動自在なガードアームと、建物屋内側の扉枠に設けられる略キノコ形状のアーム受部と、で構成されている。
【０００３】
ガードアームは長尺な部材であり、内側にその長手方向に沿った案内長孔が形成されている。垂直軸に軸支されているガードアーム基端側では、案内長孔は、キノコ形状のアーム受部の頭部よりも大きく形成されて挿通可能である。一方、案内長孔の先端側の残余の部分は、その基端側よりも幅が狭く形成されてアーム受部の頭部が挿通不能とされており、アーム受部の基部が摺動案内されるようになっている。すなわち、扉閉鎖時では、アーム受部は扉枠から扉に亘っており、アーム受部の頭部はガードアーム基端側の案内長孔に位置している。
【０００４】
したがって、ドアガードを使用しないときは、ガードアームを傾倒させて扉内面と略水平状態にしておく。
【０００５】
一方、ドアガードを使用するときは、扉を閉鎖してからガードアームを扉内面に対して垂直となるように直立させる。扉を開放すると、アーム受部の基部が案内長孔に摺動案内され、ガードアームの他端に当接する。したがって、ガードアームを使用したときは、扉の開閉ストロークは案内長孔の長さとなり、扉の開放角度を一定角度以下に規制することができる。
【０００６】
これにより、安全に来訪者の確認が可能となり、また配送物の授受等を行うことが可能となる。
【０００７】
また、近年、防犯性の向上を目的に、ワンドア・ツーロックの補助錠として。ガードアームロックが多様されるようになってきている。ガードアームロック機構では、通常、デッドボルトを２段階に突出させることで、本締錠として使用され、その位置から一段デッドボルトを引っ込ませることによって、ガードアームロック状態となる。すなわち、ガードアームロック状態では、デッドボルトを一段突出させることにより、ストライクに沿って設けられた回転自在なガードアームに、デッドボルトが掛かり、このガードアームによって扉の開放が規制され、ドアチェーンを掛けたのと同じ状態となる。したがって、扉を少し開くことができ、来訪者を確認した後に扉を解錠することが可能になって、防犯性を高めることができる。
【０００８】
【発明が解決しようとする課題】
しかしながら、通常、ドアガードと補助錠は、別体として扉に備えつけられているため、扉の屋内面が煩雑である。また、屋内からサムターンにより施解錠装置を施錠すると居住者は安心してしまうことが多く、ドアガードをドアガード受具に係合しなくなりがちである。
【０００９】
したがって、このようなときに、来訪者や配送物が配送されてくると、居住者は慌てて施解錠装置を解錠してしまう場合があり、折角備えつけられたドアガードが有効利用されないことがある。またこの場合に、安全性を確保するためには、扉を開放する直前にドアガードを操作してドアガード受具に係合しなければならず、来訪者の確認や配送物の授受等を行うまでに手間がかかることとなる。
【００１０】
また、ドアガードを使用した場合、屋内に居る居住者が、睡眠、料理、音楽鑑賞等により外部から他の居住者の帰宅に気がつかなかったとき、帰宅した居住者は屋外から合鍵を使って扉を解錠できるが、ドアガードを屋外から操作することができず、居住者が屋内に入れなくなるという不便さがある。
【００１１】
更に、ドアガードは通常、屋内から操作するものであるため、ドアガードが使用されていない場合、外部から施解錠装置が不正解錠されたときは、扉を開放するだけで屋内に侵入されてしまうこととなり、安全上問題がある。
【００１２】
そこで本発明は、上記問題点を解消するために、ドアガードのガードロック操作により同時に扉の施解錠も可能とすることにより操作が容易でかつ安全性の高いドアガードを提供することを第一の目的とする。
【００１３】
また、ガードアームの施錠のみのシングルロック状態、又は、ガードアームの施錠及びデッドボルトの施錠によるダブルロック状態のいずれか一方の状態が選択可能な利便性の高いドアガードを提供することを第二の目的とする。
【００１４】
更に、屋外からも合鍵により操作可能とすることにより更に安全性が高く、かつ、利便性の高いドアガードを提供することを第三の目的とする。
【００１５】
また、上述したドアガード操作及び扉の施解錠のいずれにも対応可能なドアガード受具を有するドアガード装置を提供することを第四の目的とする。
【００１６】
【課題を解決するための手段】
次に、上記の課題を解決するための手段を、実施の形態に対応する図を参照して説明する。
請求項１記載のドアガードは、扉枠７４から間口に向かって突設される突起６５に係合して扉７０の開放を一定角度内に規制するドアガードであって、
前記扉７０の自由端７１側の屋内面７２に設けられるケース２と、
該ケース２に対し前記扉７０の回動軸と平行な方向に一端１８が軸支され、その一端１８を軸廻りに他端２３側が揺動自在とされ、前記一端１８側に前記突起６５が挿通される挿通孔２６が形成され、該挿通孔２６に連通して前記挿通孔２６から前記他端２３側へ前記突起６５を案内し前記突起６５が抜脱不能な案内孔２５が形成されているガードアーム１６と、
前記ケース２表面に回動自在に軸支されるサムターン３３と、
前記ケース２内に設けられ、前記サムターン３３と連動連結され、前記サムターン３３の回動により前記ケース２から前記扉枠７４側へ進退して前記扉７０を施解錠するデッドボルト２８と、
前記ケース２内において前記ガードアーム１６と前記デッドボルト２８とに連結されて設けられ、前記ガードアーム１６の揺動を前記デッドボルト２８の進退方向の移動及び前記サムターン３３の回動に変換する変換手段３６と、
を備え、
前記ガードアーム１６が揺動して前記扉７０の屋内面７２側から離間すると、前記突起６５が前記挿通孔２６に挿通されるとともに、前記ガードアーム１６の揺動に連動して、前記変換手段３６を介して前記デッドボルト２８が前記ケース２内から進出し、かつ、前記サムターン３３が一方の方向Ａに回動し、前記ガードアーム１６によるガードロックと前記デッドボルト２８による施錠とを同時に行うダブルロック状態とし、
前記ガードアーム１６が揺動して前記扉の屋内面７２側へ近接すると、前記突起６５が前記挿通孔２６から抜脱されるとともに、前記ガードアーム１６の揺動に連動して、前記変換手段３６を介して前記進出したデッドボルト２８が前記ケース２内へ後退し、かつ、前記一方の方向Ａに回動したサムターン３３が他方の方向Ｂに回動し、前記ガードアーム１６が前記扉７０の屋内面７２に近接した状態で、前記サムターン３３が前記案内孔２５に挿通状態となって、解錠状態となり、
前記ガードアーム１６が揺動して前記扉７０の屋内面７２側から離間しデッドボルト２８が進出した前記ダブルロック状態において、前記サムターン３３を一方の方向から他方の方向に回動させることで、前記デッドボルト２８を前記ケース２内に後退させ、前記突起６５に前記案内孔２５が抜脱不能となって、前記扉７０を一定角度開放可能とするガードロック状態とすることを特徴としている。
【００１７】
請求項１のドアガードによれば、扉を閉鎖すると、突起６５が扉７０側に亘っている。そして、ガードアーム１６を扉７０の屋内面７２側から離間すると、突起６５が挿通孔２６に挿通されるとともに、デッドボルト２８が進出して扉枠７４側に嵌入される。これにより、扉７０は、ガードアーム１６によるガードロック状態でかつデッドボルト２８による施錠状態となり、安全性の向上を図ることができる。
【００１８】
また、ガードアーム１６を揺動すると、突起６５が挿通孔２６に対し挿脱されるとともにデッドボルト２８が進退する。これにより、ガードアーム１６による単一の揺動操作で、ガードアーム１６のガードロック又は解除操作、及びデッドボルト２８による施解錠操作を同時に行うことが可能となり、操作性が向上する。
【００１９】
更に、ガードアーム１６を扉７０の屋内面７２側から離間すると、突起６５が挿通孔２６に挿通され、デッドボルト２８が進出して扉枠７４側に嵌入されるとともに、サムターン３３も連動して一方の方向Ａに回動する。これにより、デッドボルト２８による施錠をしようとするときは、必然的にガードアーム１６によりガードロックされるため、ガードロック操作のし忘れを防止することができる。
【００２０】
また、ガードロック状態でかつデッドボルト施錠状態から、サムターン３３を他方の方向Ｂに回動操作して元の位置に戻すことで、デッドボルト２８を後退させ、デッドボルト２８がケース２内に収納して解錠される。このとき、サムターン３３からの回動は、ガードアーム１６の揺動に連動していないため、突起６５はガードアーム１６の挿通孔２６に挿通された状態、すなわちガードロック状態を維持する。これにより、ガードロック状態でかつデッドボルト施錠状態から、ガードロック状態でかつデッドボルト解錠状態にすることが可能となる。
【００２１】
したがって、ガードロック状態でかつデッドボルト解錠状態では、扉を開放すると突起６５が案内孔２５に案内されガードアーム１６の他端２３に当接することで、扉７０の開放は一定角度以内に規制される。
【００２２】
また、ガードロック状態でかつデッドボルト解錠状態から、再度デッドボルト２８による施錠をするときは、サムターン３３を一方の方向Ａに回動操作することでデッドボルト２８がケース２内から進出して施錠される。このとき、サムターン３３からの回動は、ガードアーム１６の揺動に連動していないため、突起６５はガードアーム１６の挿通孔２６に挿通された状態、すなわちガードロック状態を維持する。これにより、サムターン３３の回動操作のみでデッドボルト２８の後退による施錠が可能となり、ガードロック状態でかつデッドボルト施錠状態とすることができる。
【００２３】
請求項２記載のドアガードは、請求項１記載のドアガードにおいて、前記扉７０内において前記変換手段３６に連結され、外筒５８と該外筒５８と同軸に挿通される内筒５７とを有し、該内筒５７に合鍵５９が挿通されると前記外筒５８に対し前記内筒５７が回動するシリンダ錠５６を備え、
前記変換手段３６は、更に、前記内筒５７の回動を前記デッドボルト２８の進退方向の移動と前記ガードアーム１６の揺動に変換するものであり、
前記内筒５７が前記一方の方向Ａに回動すると、前記デッドボルト２８が前記ケース２から進出するとともに、前記ガードアーム１６の揺動により前記扉７０の屋内面７２側から離間して前記挿通孔２６に前記突起６５が挿通され、
前記内筒５７が前記他方の方向Ｂに回動すると、前記デッドボルト２８が前記ケース２へ後退するとともに、前記ガードアーム１６の揺動により前記扉７０の屋内面７２側へ近接して前記挿通孔２６から前記突起６５が抜脱されることを特徴とする。
【００２４】
請求項２のドアガードによれば、屋外から合鍵５９により内筒５７を一方の方向Ａに回動すると、ガードアーム１６によりガードロックされ、かつ、デッドボルト２８により施錠がされる。また、このガードロック状態でかつデッドボルト施錠状態で、屋外から合鍵５９により内筒５７を他方の方向Ｂに回動すると、ガードアーム１６のガードロックが解除され、かつ、デッドボルト２８による解錠がされる。これにより、ガードアーム１６のガードロック又は解除、及びデッドボルト２８による施解錠が、シリンダ錠５６の単一操作で同時に操作可能となる。またこれにより、屋外からガードアーム１６のガードロック又は解除が可能となる。
【００２５】
また、同様に、ガードロック状態でかつデッドボルト解錠状態においても、扉７０を閉鎖させてから合鍵５９により内筒５７を他方の方向Ｂに回動してデッドボルト２８を後退することにより、屋外からガードアーム１６のガードロック解錠が可能となる。
【００２６】
請求項３記載のドアガード装置は、請求項１又は２記載のドアガード１と、
該ドアガード１に対向して前記扉枠７４に設けられ、前記突起６５と、前記デッドボルト２８が貫通する貫通孔６３が形成されているストライク板６２と、を有するドアガード受具６１と、
を具備することを特徴とする。
【００２７】
請求項３のドアガード装置によれば、請求項１又は２記載のドアガードに対し、単一のドアガード受具によりデッドボルト２８の嵌入抜脱及びガードアーム１６の係脱が可能となり、扉枠７４における省スペース化及び部品点数の減少を図ることができる。
【００２８】
【発明の実施の形態】
図１は本発明によるドアガード１及びドアガード受具６１からなるドアガード装置の実施の形態を示す外観図、図２は同ドアガード１の外観図、図３はドアガード１の分解斜視図である。
【００２９】
ドアガード１は、扉枠７４から間口に向かって突設された突起６５に係合して扉７０の開放角度を一定角度内に規制するものであり、図１に示すように、扉７０の屋内面７２の自由端７１側に固設されている。このドアガード１に対向するようにして扉枠７４にはドアガード受具６１が固設されている。
【００３０】
ドアガード１は、ケース２と、ガードアーム１６と、デッドボルト２８と、サムターン３３と、変換手段３６と、シリンダ錠５６と、で略構成される。
【００３１】
ケース２は扉７０の横幅方向にやや長尺な部材であり、略方形箱型のケース本体３と、ケース本体３の開口を封止する封止板８とで構成される。ケース本体３の長手方向の一側面４（左側面）にはデッドボルト２８が進退するための進退孔４ａが形成されている。ケース２の表面となるケース本体３の表面５は、一側面４側の左半部５ａが手前に突出している。ケース本体３の表面５の右半部５ｂには、貫通孔５ｃが形成されており、サムターン３３の一端３４が軸支されるようになっている。ケース本体３の上面６にはネジ孔６ａ，６ｂが形成されている。
【００３２】
封止板８は、略コ字状に形成されており、その平坦板部９は、扉７０の屋内面７２と面接触してネジ１０により扉７０の屋内面７２の自由端７１側に固設される。封止板８の両屈曲片１１，１２は、ケース本体３の上下内壁と重なるようになっている。また、上側の屈曲片１１には、ネジ孔１３ａ，１３ｂが形成されており、ケース本体３の上面６のネジ孔６ａ，６ｂと連通するようになっており、ネジ１４，１４を螺着することにより、ケース本体３が封止板８に固定される。
【００３３】
ガードアーム１６は、長尺な略Ｕ字形状をなしている。ガードアーム１６の長手方向の一端１８となる開放縁部は、一対の先端片１９ａ，１９ｂと、各先端片１９ａ，１９ｂの対向する内側面にそれぞれ同軸上に垂設する一対の軸部２０ａ，２０ｂと、各軸部２０ａ，２０ｂに中心が一致する一対の円板２１ａ，２１ｂと、で構成される。また、上側の円板２１ａの板面には、軸部２０ａから偏心した偏心ピン２２が垂設されている。
【００３４】
すなわち、各軸部２０ａ，２０ｂ及び円板２１ａ，２１ｂは、ケース２の封止板８に形成されている一対の切欠溝１５，１５から挿通されて円板２１ａ，２１ｂの内側板面と屈曲片１１，１２の表面が対面し、屈曲片１１，１２から外側に延出した軸部２０ａ，２０ｂがケース本体３の形成されている切欠溝６ｃに嵌入されることで、扉７０の回動軸と平行な方向、すなわち、ガードアーム１６の幅方向に軸支される。
【００３５】
ガードアーム１６の長手方向の他端２３となるＵ字状の湾曲部は、ガードアーム１６の一端１８を軸としてその軸廻りに揺動自在とされており、これによりガードアーム１６は、扉７０の屋内面７２に対し近接離間する。すなわち、近接状態ではガードアーム１６は屋内面７２に対し略平行とされ、離間状態ではガードアーム１６は屋内面７２に対し直交する。
【００３６】
なお、ガードアーム１６の一端１８側は、先端片１９ａ，１９ｂの間隔が広く拡幅部とされ、ガードアーム１６の他端２３側は、拡幅部よりも狭い狭幅部とされる。そして、ケース２に取り付けられた状態で、ガードアーム１６の一端１８側である拡幅部が、突起６５が挿通する挿通孔２６とされ、また、ガードアーム１６の他端２３側である狭幅部が案内孔２５とされて、ガードアーム１６の長手方向に長尺な長孔２４とされる。更に、この案内孔２５は突起６５が抜脱不能に案内されるようになっている。
【００３７】
サムターン３３は、案内孔２５の幅よりも細い細長形状であり、ケース本体３の表面５の右半部５ｂに設けられる。サムターン３３は、その一端３４が後述する基軸５１に軸支され、他端３５が回動するようになっている。なお、サムターン３３は、ガードアーム１６が扉７０の屋内面７２に傾倒されて近接すると、案内孔２５に嵌入状態とされる。
【００３８】
デッドボルト２８は、ケース２内に設けられる。デッドボルト２８は、ケース２の長手方向に長尺な部材であり、ケース２内で略水平方向に摺動されて、その一端２９がケース本体３の進退孔４ａから進退自在とされている。デッドボルト２８の他端３０は、Ｕ字溝３１が形成されている。またその他端３０の上側背面には後述する偏心軸５２が係合する係合孔３２が形成されている。
【００３９】
すなわち、サムターン３３とデッドボルト２８は、後述する回動部材５０を介して連動連結されており、サムターン３３が一方の方向Ａに回動すると、デッドボルト２８がケース２内から進出し、他方の方向Ｂに回動するとデッドボルト２８がケース２内へ後退する。
【００４０】
変換手段３６は、ケース２内に設けられている。変換手段３６は、ガードアーム１６に連結されるスライド板３８と、回動部材５０と、スライド板３８と回動部材５０との間で連結される連結部材４３と、で略構成される。
【００４１】
スライド板３８はガードアーム１６の揺動をケース２の長手方向への直線運動に変換する。このスライド板３８は、ケース２の長手方向に長尺とされ、中途部には長孔３９が形成されており、封止板８の平坦板部９に設けられたスライドピン１０が長孔３９に案内されて長手方向に摺動自在とされている。
【００４２】
また、スライド板３８の長手方向の一端側における上縁部には、スライド板３８の板面に直角な係合板部４１が形成されている。係合板部４１には係合溝４１ａが形成されており、ガードアーム１６の一端１８の偏心ピン２２が係合する。更に、長手方向の他端側におけるスライド板３８の板面には連結部材４３と連結する連結溝４２が形成されている。
【００４３】
したがって、ガードアーム１６を扉７０の屋内面７２に近接している状態から、ガードアーム１６を揺動して扉７０の屋内面７２から離間させると、偏心ピン２２もこの揺動に伴って同方向に回動する。スライド板３８は係合溝４１ａにより偏心ピン２２に係合しているため、偏心ピン２２の回動に連動してケース本体３の一側面４側へ摺動する。
【００４４】
また、ガードアーム１６が扉７０の屋内面７２から離間している状態から、ガードアーム１６を揺動して扉７０の屋内面７２側に傾倒して近接させると、偏心ピン２２もこの揺動に伴って同方向に回動する。スライド板３８は係合溝４１ａにより偏心ピン２２に係合しているため、偏心ピン２２の回動に連動してケース本体３の他側面５側へ摺動する。
【００４５】
連結部材４３は、扉７０の厚さ方向を軸とする連結軸４４を有する。連結軸４４の封止板８側となる一端には、連結片４５が設けられている。連結片４５は、封止板８の平坦板部９に貫通形成されている貫通孔９ａを貫通してシリンダ錠５６側に連結されている。
【００４６】
連結軸４４の周面には連結ピン４６が連結軸４４の軸心から偏心して設けられている。連結ピン４６は、スライド板３８の連結溝４２に嵌合されている。したがって、スライド板３８がケース２の長手方向に摺動すると、連結ピン４６を連結軸４４廻りに回動させることで、連結軸４４がその軸廻りに回動する。
【００４７】
連結軸４４は、回動部材５０側となる他端が大径とされており、その端面４７には、ダルマ孔４８が形成されており、回動部材５０側と連結するようになっている。
【００４８】
回動部材５０は、扉７０の厚さ方向を軸とする基軸５１と、この基軸５１から偏心して設けられる偏心軸５２と、基軸５１と偏心軸５２とを連結する回動板５３と、で構成される。基軸５１は連結軸４４と同軸上に配置され、回動部材５０は、基軸５１廻りに回動するようになっている。
【００４９】
基軸５１の一端には、連結部材４３のダルマ孔４８に遊挿される遊挿片５４が設けられ、基軸５１と同軸上に延設されている。遊挿片５４の板面方向は、基軸５１と偏心軸５２の並列方向に対し直交する。遊挿片５４は、その基軸５１方向の相対する側縁部がダルマ孔４８の遊び幅方向の内壁４９に当接するようになっている。これにより、遊挿片５４の回動範囲がダルマ孔４８の遊び幅以内である場合は、連結軸４４と基軸５１との間では互いに回動が伝達されないこととなる。
【００５０】
一方、遊挿片５４の回動範囲がダルマ孔４８の遊び幅を越えた場合は、遊挿片５４の基軸５１方向の相対する側縁部がダルマ孔４８の内壁４９に当接することで、連結軸４４と基軸５１のいずれか一方が他方を同軸上に連れ廻し、連結軸４４と基軸５１との間で互いに回動が伝達されることとなる。
【００５１】
基軸５１の他端は、ケース本体３の裏面からデッドボルト２８のＵ字溝３１を介して貫通孔５ｃを貫通して、サムターン３３の一端３４に相対回転不能に接続される。
【００５２】
偏心軸５２は、デッドボルト２８の係合孔３２に係合するようになっており、図３の係合状態では、図２に示すように、デッドボルト２８はケース２内に後退しており、扉７０は解錠状態である。そして、基軸５１が回動すると、偏心軸５２は基軸５１廻りに基軸５１と同方向に回動し、その回動軌跡は、基軸５１上方で円弧を描くような軌跡となる。したがって、デッドボルト２８は、ケース２の長手方向、換言すればスライド板３８の摺動方向と同方向に進退する。
【００５３】
シリンダ錠５６は、扉７０内に穿設された貫通孔７３に貫挿され、基軸５１及び連結軸４４及びサムターン３３の回動軸となる一端３４と同軸上に設けられる。シリンダ錠５６は、外筒５８と、外筒５８と同軸に挿通される内筒５７と、を有する。シリンダ錠５６の先端は扉７０の屋外面から表出しており、その内筒５７の先端面には鍵穴が形成され、合鍵５９が挿通可能とされている。シリンダ錠５６は、合鍵５９が挿通されることで内筒５７と外筒５８の係合が解除され、合鍵５９を回動するとこれに伴って内筒５７が外筒５８に対して回動する。
【００５４】
シリンダ錠５６の外筒後端には、フランジ５８ａが形成されている。固定板６０は矩形状とされており、貫通孔６０ａを有する。固定板６０がシリンダ錠５６に貫挿されることで、その固定板６０と封止板８の平坦板部９とでフランジ５８ａが挟持された状態でネジ６０ｂで螺着されてシリンダ錠５６が封止板８に固定される。シリンダ錠５６の内筒５７後端面には、連結軸４４の連結片４５が連結されており、この連結によりシリンダ錠５６の内筒５７は連結軸４４に対し相対回転不能とされ、内筒５７の回動に伴って連結軸４４も同方向に回動する。
【００５５】
次に、ドアガード受具６１について説明する。ドアガード受具６１は、図１に示すように、ドアガード１に対向して扉枠７４に固設され、ストライク板６２と、略キノコ形状の突起６５と、で構成されている。
【００５６】
ストライク板６２は、平坦な板状体とされ、デッドボルト２８が嵌入する貫通孔６３が形成されている。また、ストライク板６２には、その一側から膨出した膨出板部６４が形成されており、その膨出板部６４の板面からドアガード１に向けて突起６５が設けられている。
【００５７】
突起６５は、略球状の突起頭部６６と、突起頭部６６と膨出板部６４の板面とを結合する杆部６８と、で構成されている。突起頭部６６は、ケース２の左半部表面に近接して配置されており、ガードアーム１６が扉７０の屋内面７２側から離間すると、ガードアーム１６の挿通孔２６に挿通される。また突起頭部６６の直径は、案内孔２５の幅よりも大きく形成されている。杆部６８は、略円柱状をなし、その軸方向の直径は案内孔２５の幅よりも小さく形成されている。
【００５８】
次に、本実施の形態の動作について説明する。初期状態では、図２及び図４に示すように、扉は全閉されている。そして、ガードアーム１６は、扉７０の屋内面７２に近接しており、案内孔２５にサムターン３３が挿通されている。また、突起頭部６６は、ケース本体３表面の左半部に近接しており、デッドボルト２８がケース２内に後退して収納されている。更に、図５に示すように、回動部材５０の偏心軸５２は、基軸５１に対しケース２長手方向から右上約４５度に位置している。
【００５９】
まず、屋内側からの操作について説明する。図４及び図５に示す状態から、ガードアーム１６を扉７０の屋内面７２に近接している状態から手前側に引くと、ガードアーム１６の一端１８を軸として揺動し、ガードアーム１６が扉７０の屋内面７２から離間する。このとき、この揺動に伴ってガードアーム１６の一端１８の偏心ピン２２が回動し、これに連動してスライド板３８が扉７０の自由端７１側へ摺動する。
【００６０】
この摺動に伴って、連結ピン４６が自由端７１側に回動することで、連結軸４４が一方の方向Ａに回動する。連結軸４４は、図５（ａ）に示すように、遊挿片５４の相対する側縁部をダルマ孔４８の内壁４９で押すことにより、遊挿片５４を連結軸４４廻りに一方の方向Ａに連れ廻し、この回動を回動部材５０に伝達する。
【００６１】
回動部材５０は連結軸４４の回動に連動して基軸５１廻りに一方の方向Ａに回動する。これに連動して偏心軸５２が基軸５１廻りに一方の方向Ａに回動し、図７（ａ）に示すように、基軸５１に対しケース２の長手方向から左上約４５度に位置する。この偏心軸５２の回動により、図６及び図７（ｂ）に示すように、偏心軸５２と係合するデッドボルト２８がケース２内から扉枠７４側へ進出してストライク板６２に嵌入して扉枠７４の係合溝に嵌入する。
【００６２】
また、図７に示すように、サムターン３３が基軸５１の回動に連動して基軸５１廻りに一方の方向Ａに回動して、ケース２長手方向からケース２長手方向に直交する扉７０の回動軸方向に位置する。
【００６３】
これにより、ガードアーム１６を手前側に引いて扉７０の屋内面７２から離間させるという単一の操作で、ガードアーム１６によるガードロックとデッドボルト２８による施錠とを、同時に行うことが可能となる。
【００６４】
また、図８に示すように、このガードロック状態でかつデッドボルト施錠状態において、屋内からサムターン３３を基軸５１廻りに一方の方向Ａに対して反対の他方の方向Ｂに回動操作して元の状態に戻すと、サムターン３３の回動に連動して回動部材５０がサムターン３３と同方向に基軸５１廻りに回動する。この回動により偏心軸５２を介してデッドボルト２８が扉枠７４の貫通孔７３から後退し、ケース２内に収納されて解錠される。
【００６５】
なお、基軸５１の回動により遊挿片５４も同方向に回動するが、その回動範囲は連結軸４４のダルマ孔４８の遊び幅の範囲内であるので、回動部材５０側の回動は連結部材４３側に伝達されない。従って、ガードアーム１６は、扉７０の屋内面７２から離間した施錠状態を維持する。
【００６６】
このガードアーム１６のガードロック状態で扉を開放させると、突起６５の杆部６８がガードアーム１６の案内孔２５に案内される。突起頭部６６の直径は、案内孔２５の幅よりも大きいため、杆部６８が案内孔２５に案内されている状態では抜脱不能とされる。杆部６８がガードアーム１６の他端２３内側に当接すると、扉７０の開放が所定角度内に規制される。
【００６７】
これにより、ガードアーム１６によるガードロック状態でかつデッドボルト解錠状態が可能となり、案内孔２５のストローク分の範囲内で扉を開放することができる。
【００６８】
なお、この図８に示すガードロック状態でかつデッドボルト解錠状態から、デッドボルト２８を進出させて再度図６及び図７に示すダブルロック状態にするには、サムターン３３を一方の方向Ａに回動操作するだけで可能となる。
【００６９】
また、図８に示すガードロック状態でかつデッドボルト解錠状態、又は、図６及び図７に示すガードロック状態でかつデッドボルト施錠状態から、扉７０を全開させる場合は、図４及び図５に示すようにガードアーム１６を扉７０の屋内面７２側へ傾倒させて近接させることにより、スライド板３８が扉７０の回動軸方向に摺動することで、これに連動して連結軸４４が他方の方向Ｂに回動する。そして、ダルマ孔４８の内壁４９は、遊挿片５４の相対する側端縁部に当接して遊挿片５４を連結軸４４と同方向に回動させる。この回動に連動して回動部材５０が同方向に回動してデッドボルト２８が後退し、ケース２内に収納される。
【００７０】
これにより、ガードアーム１６の揺動操作のみで、ガードアーム１６によるガードロックの解除、又は、ガードロックの解除及びデッドボルトの解錠が可能となり、屋内側からの操作性の向上を図ることができる。
【００７１】
次に屋外側からの操作について説明する。図４及び図５に示す初期状態において、屋外側からシリンダ錠５６に合鍵５９を差し込んで一方の方向Ａに回動すると、内筒５７の回動とともに、内筒５７端面に相対回転不能に連結されている連結部材４３が連結軸４４廻りに内筒５７と同方向に回動する。この回動に伴って連結ピン４６が同方向に回動し、スライド板３８を自由端７１側に摺動させて、ガードアーム１６の一端の偏心ピン２２を回動させる。この回動に連動してガードアーム１６が揺動し、扉７０の屋内面７２から離間して、図６及び図７に示すように、突起６５が挿通孔２６に挿通されて施錠状態となる。
【００７２】
また、連結部材４３の一方の方向Ａの回動は、屋内側からガードアーム１６を引いて扉７０の屋内面７２から離間させる場合と同様、回動部材５０側に伝達されて、デッドボルト２８がケース２内から進出し、扉枠７４のストライク板６２及び貫通孔７３に嵌入して施錠される。これにより、屋外側から、ガードアーム１６によるガードロックとデッドボルト２８による施錠が可能となる。
【００７３】
また、ドアガード１が、図８に示すガードロック状態でかつデッドボルト解錠状態、又は、図６及び図７に示すガードロック状態でかつデッドボルト施錠状態のいずれの場合でも、屋外からシリンダ錠５６に合鍵５９を差し込んで内筒５７を回動させることで、内筒５７端面に相対回転不能に連結されている連結部材４３が連結軸４４廻りに他方の方向Ｂに回動する。この回動に伴って連結ピン４６が同方向に回動し、スライド板３８を扉７０の回動軸側に摺動させて、ガードアーム１６の一端の偏心ピン２２を回動させる。この回動に連動してガードアーム１６が揺動し、扉７０の屋内面７２へ傾倒して近接し、図４及び図５に示すように、突起６５が挿通孔２６から抜脱されてガードアーム１６のガードロックが解除される。
【００７４】
また、このガードロック解除とともに、連結部材４３の他方の方向Ｂの回動は、ガードアーム１６を傾倒して扉７０の屋内面７２に近接させる場合と同様、回動部材５０側に伝達される。この伝達により、デッドボルト２８がケース２内へ後退し、図４及び図５に示すように、扉枠７４のストライク板６２及び貫通孔７３から抜脱して解錠される。これにより、屋外側からも、デッドボルト２８の解錠操作が可能となる。
【００７５】
なお、上述した実施の形態においては、ドアガード１にシリンダ錠５６を備えた構成としたが、シリンダ錠５６が備えられていない構成としてもよい。これにより、屋外からの不正解錠を防止することができる。またシリンダ錠５６が備えられていない構成の場合は、屋内面７２への取り付けが容易となり、既存の扉７０にも簡単に設置可能となり、防犯性の向上を図ることができる。
【００７６】
【発明の効果】
以上説明したように本発明によれば、ガードアームの揺動操作のみで、ガードアームのガードロック又はその解除と、デッドボルトの施解錠とを、同時に行うことが可能となり、操作性の向上を図ることができる。また、ガードアームがガードロックされ、かつ、デッドボルトが施錠されると本締錠の施錠と合わせて、３段階のロックとなるため、更に安全性の向上を図ることが出来る。
【００７７】
また、ガードロック状態でかつデッドボルト施錠状態において、屋内からサムターンを回動操作することで、ガードアームを解除することなくデッドボルトの進退操作による施解錠のみが可能となる。これにより必要に応じて、ガードロック状態でかつデッドボルト解錠状態と、ガードロック状態でかつデッドボルト施錠状態と、の選択が可能となり、防犯上のバリエーションの多様化を図ることができる。
【００７８】
更に、ガードロック及びデッドボルト施錠をする場合は、いずれもガードアームによる揺動操作がされるため、必然的にガードアームのガードロックがされることとなり、後からデッドボルトを解錠してもガードロックが解除されることはない。したがって、ガードロックのし忘れを防止することができ、安全性の向上を図ることができる。
【００７９】
また、シリンダ錠を備えることにより、屋内にドアガードを操作できる者がおらずに外出する場合等においても、屋外から合鍵を用いてダブルロックが可能となる。これにより、安心して外出等することができ、安全性の向上を図ることが出来る。
【００８０】
更に、ガードロック状態でかつデッドボルト解錠状態、又は、ガードロック状態でかつデッドボルト施錠状態において、屋内にドアガードを操作できる者がおらず、又は屋内の居住者が屋外の居住者が帰宅したことに気が付かない場合でも、屋外から合鍵によりガードロック解除及びデッドボルト解錠ができ、帰宅した居住者が屋外に待機させられることがなく、屋内に入ることができるため、利便性の向上を図ることが出来る。
【００８１】
また、突起とストライク板を備えたドアガード受具を採用することにより、デッドボルトの嵌入抜脱及びガードアームの係脱が可能となり、扉枠における省スペース化及び部品点数の減少を図ることができる。
【図面の簡単な説明】
【図１】本発明によるドアガード装置を適用した斜視図である。
【図２】本発明によるドアガードの斜視図である。
【図３】本発明によるドアガードの分解斜視図である。
【図４】本発明によるドアガード装置の初期状態における部分平断面図である。
【図５】（ａ）本発明によるドアガードの初期状態におけるサムターンと回動部材との位置関係を示す図である。
（ｂ）本発明によるドアガードの初期状態における正面図である。
【図６】本発明によるドアガード装置のガードロック状態でかつデッドボルト施錠状態における部分平断面図である。
【図７】（ａ）本発明によるドアガードのガードロック状態でかつデッドボルト施錠状態におけるサムターンと回動部材との位置関係を示す図である。
（ｂ）本発明によるドアガードのガードロック状態でかつデッドボルト施錠状態における正面図である。
【図８】（ａ）本発明によるドアガードのガードロック状態でかつデッドボルト解錠状態におけるサムターンと回動部材との位置関係を示す図である。
（ｂ）本発明によるドアガードのガードロック状態でかつデッドボルト解錠状態における正面図である。
【符号の説明】
１…ドアガード
２…ケース
１６…ガードアーム
１８…ガードアーム一端
２３…ガードアーム他端
２５…案内孔
２６…挿通孔
２８…デッドボルト
３３…サムターン
３６…変換手段
５６…シリンダ錠
５７…内筒
５８…外筒
５９…合鍵
６１…ドアガード受具
６２…ストライク板
６３…貫通孔
６５…突起
７０…扉
７１…扉の自由端
７２…屋内面
７４…扉枠
Ａ…一方の方向
Ｂ…他方の方向
【図１】
0004094293.tif 000002
【図２】
0004094293.tif 000003
【図３】
0004094293.tif 000004
【図４】
0004094293.tif 000005
【図５】
0004094293.tif 000006
【図６】
0004094293.tif 000007
【図７】
0004094293.tif 000008
【図８】
0004094293.tif 000009